(57)【特許請求の範囲】
【請求項１】
シリーズで製作されたコンテンツのエレクトロニックプログラムガイドに基づいて所定コンテンツに対するシリーズタイトルおよびプログラムタイトルを抽出する情報抽出部と、
前記抽出されたシリーズタイトルおよびプログラムタイトルに基づいてファイル名を生成する制御部と、
前記抽出されたシリーズタイトルおよびプログラムタイトルと前記生成されたファイル名に基づいてコンテンツに対するアイテムを生成するアイテム生成部と、
前記ファイル名に基づいて所定コンテンツの再生要請時に前記ファイル名に対応する再生ポイント情報を検索して視聴ポイント値を抽出し、ここで、前記ファイル名を用いて所定コンテンツの再生要請時にシリーズに含まれた任意のファイル名が選択されていても該当シリーズに対する該当コンテンツの視聴ポイント値を抽出する、検索部とを含むシリーズコンテンツの視聴ポイントに基づいてコンテンツを再生させる装置。
【請求項２】
前記アイテム生成部が生成したアイテムおよび前記情報抽出部が抽出した情報を格納する格納部と、
前記ユーザによって再生要請されたコンテンツの再生モードを設定するモード設定部と、
前記再生するコンテンツの視聴ポイントを所定時間ごとにチェックして、変更された視聴ポイント値をアップデートする視聴ポイントチェック部と、
前記コンテンツのシリーズ情報に基づいて録画を行う録画処理部とを含む請求項１に記載のシリーズコンテンツの視聴ポイントに基づいてコンテンツを再生させる装置。
【請求項３】
前記生成されたアイテムは、シリーズアイテムおよび＜ファイル名、シリーズタイトル＞アイテムである請求項１に記載のシリーズコンテンツの視聴ポイントに基づいてコンテンツを再生させる装置。
【請求項４】
前記シリーズアイテムは、シリーズタイトルと、再生ポイントと、プログラムリストとを含む請求項３に記載のシリーズコンテンツの視聴ポイントに基づいてコンテンツを再生させる装置。
【請求項５】
前記再生ポイントは、プログラムリンクと、視聴ポイントと、総再生長さとを含む請求項４に記載のシリーズコンテンツの視聴ポイントに基づいてコンテンツを再生させる装置。
【請求項６】
シリーズで製作されたコンテンツのエレクトロニックプログラムガイドに基づいてシリーズタイトルおよびプログラムタイトルを抽出し、前記抽出されたシリーズタイトルおよびプログラムタイトルに基づいてファイル名を生成するステップと、
前記抽出されたシリーズタイトルおよびプログラムタイトルと前記生成されたファイル名に基づいてコンテンツに対するアイテムを生成するステップと、
前記ファイル名を用いて所定コンテンツの再生を要請するステップと、
前記ファイル名に基づいて視聴ポイント値を検索し、ここで、前記ファイル名を用いて所定コンテンツの再生を要請する場合にユーザがシリーズに含まれた任意のファイル名を選択しても該当シリーズに対する該当コンテンツの視聴ポイント値を検索し、前記検索された視聴ポイント値に基づいて前記要請されたコンテンツを再生するステップと、を含むシリーズコンテンツの視聴ポイントに基づいてコンテンツを再生させる方法。
【請求項７】
前記ファイル名に基づいて視聴ポイント値を検索するステップは、
前記ファイル名に対応するシリーズタイトルを検索するステップと、
前記検索されたシリーズタイトルに基づいて該当コンテンツのシリーズアイテムを検索するステップと、
前記検索されたシリーズアイテム内の再生ポイント情報に基づいて該当ファイルの視聴ポイント値を抽出するステップとをさらに含む請求項６に記載のシリーズコンテンツの視聴ポイントに基づいてコンテンツを再生させる方法。
【請求項８】
所定時間ごとに前記視聴ポイントをチェックするステップと、
前記チェックされた視聴ポイントと総再生長さを比較するステップと、
前記比較の結果、前記視聴ポイントと前記総再生長さが同一である場合、現在の視聴ポイントを次のプログラムリンクに設定するステップと、
前記比較の結果、前記視聴ポイントと前記総再生長さが同一でない場合、前記チェックされた視聴ポイント値をアップデートするステップとを含む請求項６に記載のシリーズコンテンツの視聴ポイントに基づいてコンテンツを再生させる方法。
【発明の詳細な説明】
【技術分野】
【０００１】
本発明は、シリーズコンテンツの視聴ポイントに基づいてコンテンツを再生させる装置およびその方法に関し、より詳しくは、シリーズで製作されたコンテンツの再生時にユーザが任意のコンテンツに対するファイル名を選択してもユーザが以前に視聴したコンテンツに対する視聴ポイント情報を検索して再生させるシリーズコンテンツの視聴ポイントに基づいてコンテンツを再生させる装置およびその方法に関するものである。
【背景技術】
【０００２】
デジタル放送時代に合わせてＰＶＲ（パーソナルビデオレコーダ）またはＤＶＲ（デジタルビデオレコーダ）機器が順次普遍化されて、放送を個人好みに合うように選択して、デジタル形態で格納し、所望する時間に格納された映像物を便利に再視聴することが可能になった。
【０００３】
特に、エレクトロニックプログラムガイド（以下、ＥＰＧという）サービスと連動して、シリーズ（またはエピソード）全体を予約録画する機能も大部分の録画機器が支援しており、ユーザはより便利にシリーズに対する予約録画を行うことができる。
【０００４】
しかし、録画機器（例えば、ＰＶＲおよびＤＶＲ）に録画された映像物を適切に選択するのはユーザが直接行わなければならないことである。
【０００５】
例えば、数または数十編で構成されたシリーズコンテンツを録画された形態で持っている場合、ユーザは一定部門を視聴した後、所定時間が経過した後で再び以前に見た部分から続けて見ようとする。
【０００６】
この時、ユーザはシリーズで製作された様々なコンテンツの中で該当コンテンツ（またはファイル名）を正確に選択するために数回に亘るファイル選択を行わなければならず、また、該当コンテンツ内で正確な位置を探すために所定方向に移動（例えば、早回し、巻き戻しなど）させて、以前に見た部分を探さなければならないという煩わしさがある。
【０００７】
一方、上記のような煩わしさを解決するために、ブックマーク機能を提供する機器が開示されているが、これはユーザがコンテンツの終了および再生時ごとにブックマーク機能を実行させなければならないという不便さがあり、また、１つのコンテンツ（またはファイル）に対してのみブックマーク機能を用いることができるという問題点がある。
【０００８】
特許文献１には、映像情報を記録可能な情報記録媒体において、そのデータ領域には制御情報が格納され、制御情報に続いて再生対象となるビデオオブジェクトが格納されており、制御情報は再生中断時に次に再生を再開するための再生中断情報を含み、そのための領域が準備されていて、次の再生時には再生中断情報を参照して中断した部分から映像を再生できる情報再生システムを開示しているが、これはディスク（ＤＶＤ）単位で再生情報を活用して、同じディスクが挿入された時に以前に視聴した部分から再生するもので、シリーズ単位で格納されたファイルのうちの任意のファイルを選択しても以前に視聴した部分から再生する技術は全く言及されていない。
【特許文献１】韓国公開特許第２００１−００３４２７９号公報
【発明の開示】
【発明が解決しようとする課題】
【０００９】
本発明は、ユーザが視聴したコンテンツ（またはファイル）に対する視聴ポイントを格納することによって、ユーザからコンテンツ再生要請時の視聴ポイントに基づいて以前に視聴した位置からコンテンツを再生させることを目的とする。
【００１０】
本発明の他の目的は、ユーザがシリーズで格納された複数のコンテンツ（またはファイル）の中の任意のコンテンツ（すなわち、ファイル名）を選択してもユーザが以前に視聴したコンテンツを再生させることにある。
【００１１】
本発明の目的は、以上で言及した目的に制限されず、言及していないまた他の目的は下記記載によって当業者が明確に理解できるものである。
【課題を解決するための手段】
【００１２】
前記目的を達成するために、本発明の一態様に係わるシリーズコンテンツの視聴ポイントに基づいてコンテンツを再生させる装置は、シリーズで製作されたコンテンツのＥＰＧに基づいて所定コンテンツに対するシリーズタイトルおよびプログラムタイトルを抽出する情報抽出部と、前記抽出されたシリーズタイトルおよびプログラムタイトルに基づいてファイル名を生成する制御部と、前記抽出されたシリーズタイトルおよびプログラムタイトルと前記生成されたファイル名に基づいてコンテンツに対するアイテムを生成するアイテム生成部と、前記ファイル名に基づいて所定コンテンツの再生要請時に前記ファイル名に対応する再生ポイント情報を検索して視聴ポイント値を抽出する検索部とを含む。
【００１３】
また、本発明の他の態様に係わるシリーズコンテンツの視聴ポイントに基づいてコンテンツを再生させる方法は、シリーズで製作されたコンテンツのＥＰＧに基づいてシリーズタイトルおよびプログラムタイトルを抽出し、前記抽出されたシリーズタイトルおよびプログラムタイトルとファイル名に基づいてアイテムを生成するステップと、前記ファイル名を用いて所定コンテンツの再生を要請するステップと、前記ファイル名に基づいて視聴ポイント値を検索して、前記検索された視聴ポイント値に基づいて前記要請されたコンテンツを再生するステップとを含む。
【発明の効果】
【００１４】
本発明のシリーズコンテンツの視聴ポイントに基づいてコンテンツを再生させる装置およびその方法によれば、次のような効果が１つあるいはそれ以上ある。
【００１５】
ユーザが視聴したコンテンツ（またはファイル）に対する視聴ポイントを格納することによって、ユーザからコンテンツの再生要請時以前に視聴が完了した位置から再生させることによって、ユーザは自身が視聴したコンテンツを別に記憶する必要なくシリーズを構成する任意のコンテンツ（すなわち、ファイル名）を選択しても自動的にユーザが見たコンテンツの正確な位置から視聴できる利点がある。
【００１６】
また、シリーズで製作されたコンテンツを自動で再生することができるように必要な情報を格納および管理するためユーザが所定の命令および動作要請を行わなくても良い利点がある。
【発明を実施するための最良の形態】
【００１７】
その他、実施形態の具体的な事項は、詳細な説明および図面に含まれている。
【００１８】
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００１９】
以下、添付した図面を参照して、本発明の好ましい実施形態を詳細に説明する。
【００２０】
図１は、本発明の一実施形態に係わるシリーズコンテンツの視聴ポイントに基づいてコンテンツを再生させる装置を含むシステムを示す図面である。
【００２１】
図に示すように、シリーズコンテンツの視聴ポイントに基づいてコンテンツを再生させる装置を含むシステムは、ディスプレイ装置１００および再生装置２００を含んで構成される。
【００２２】
ディスプレイ装置１００は、デジタル放送コンテンツを画面上に出力するもので、例えばＴＶおよびコンピュータモニタなどをいう。
【００２３】
再生装置２００は、非揮発性メモリにデジタル放送コンテンツ（以下、「コンテンツ」という）を録画し、録画されたコンテンツをディスプレイ装置１００を介して出力して再生させる。ここで、再生装置２００は、ＰＶＲおよびＤＶＲをいう。
【００２４】
また、再生装置２００は、ＥＰＧに基づいてシリーズ（またはエピソード）のタイトル情報およびプログラムタイトル情報を抽出して、録画されるコンテンツがシリーズで製作されたコンテンツであるかをチェックする。
【００２５】
次に、抽出された情報（例えば、シリーズタイトルおよびプログラムタイトル）に基づいてシリーズアイテムおよび＜ファイル名、シリーズタイトル＞アイテムを生成し、ユーザがファイル名（またはシリーズタイトル）を用いて所定コンテンツを選択すれば、選択されたコンテンツに対する視聴ポイントを検索して、ユーザが以前に視聴を終了した部分からコンテンツを再生する。ここで、ユーザはシリーズで製作された複数のコンテンツの中の任意のコンテンツを選択しても、以前に視聴したコンテンツに対するユーザの視聴ポイントを検索して再生する。
【００２６】
例えば、ユーザがシリーズで製作された「ロスト第１回〜第１０回」のうち所定コンテンツ（例えば、ロスト第３回）を選択すれば、ロストに対する視聴ポイントを検索して、ユーザが以前に見た地点（例えば、ロスト第５回内のポインティングデン地点）から再生する。
【００２７】
また、再生装置２００は、ユーザの視聴ポイントを一定時間の間隔で自動チェックし、修正された視聴ポイント値をアップデートする。以下、図２において再生装置２００に対する説明を後述する。
【００２８】
一方、再生装置２００は、ディスプレイ装置１００の内部に１つのシステムとして実現されることもでき、論理的または物理的に別の独立装置として実現されることもできる。
【００２９】
図２は、本発明の他の実施形態に係わるシリーズコンテンツの視聴ポイントに基づいてコンテンツを再生させる装置の内部ブロック図である。
【００３０】
図に示すように、再生装置２００は、情報抽出部２１０、アイテム生成部２２０、格納部２３０、モード設定部２４０、検索部２５０、視聴ポイントチェック部２６０、録画処理部２７０、および制御部２８０を含んで構成される。
【００３１】
この時、本実施形態で用いられる「〜部」という用語は、ソフトウェアまたはＦＰＧＡまたはＡＳＩＣのようなハードウェア構成要素を意味し、「〜部」はある役割を行う。ところが「〜部」は、ソフトウェアまたはハードウェアに限定される意味ではない。「〜部」は、アドレッシングできる格納媒体にあるように構成することもでき、１つまたはそれ以上のプロセッサを再生させるように構成することもできる。したがって、一例として「〜部」はソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素と「〜部」の中で提供されている機能は、さらに小さい数の構成要素および「〜部」に結合したり、追加的な構成要素と「〜部」にさらに分離したりすることができる。それだけでなく、構成要素および「〜部」は、デバイスまたは保安マルチメディアカード内の１つまたはそれ以上のＣＰＵを再生させるように実現することもできる。
【００３２】
情報抽出部２１０は、コンテンツのＥＰＧに基づいてシリーズ（またはエピソード）タイトル情報およびプログラムタイトル情報を抽出する。また、情報抽出部２１０は、コンテンツに対するその他の情報（例えば、シリーズ製作有無を示すシリーズ情報、およびコンテンツの総再生長さ情報など）を抽出する。
【００３３】
アイテム生成部２２０は、情報抽出部２１０を介して抽出されたシリーズタイトル情報およびプログラムタイトル情報と、制御部２８０を介して生成されたファイル名に基づいてシリーズアイテムおよび＜ファイル名、シリーズタイトル＞アイテムを生成する。ここで、シリーズタイトルは、シリーズで製作されたコンテンツを示す代表タイトルをいい、プログラムタイトルはシリーズを構成する各コンテンツのタイトルをいう。また、ファイル名は、所定コンテンツを格納する名前をいう。本発明ではユーザがファイル名またはシリーズタイトルを用いて所定コンテンツの再生を要請する。
【００３４】
例えば、「ロスト」はプログラムタイトルであり、ロスト内の「エピソード０１」は「ロスト」コンテンツのファイル名である。また、「エピソード０１．ａｖｉ」は所定コンテンツに対するファイル名である。
【００３５】
また、シリーズアイテムは、シリーズタイトル、再生ポイント、およびプログラムリストを含んで構成され、＜ファイル名、シリーズタイトル＞アイテムは、ファイル名およびシリーズタイトルを含んで構成される。以下、図３でシリーズアイテムおよび＜ファイル名、シリーズタイトル＞アイテムに対する説明を後述する。
【００３６】
格納部２３０は、アイテム生成部２２０を介して生成されたシリーズアイテムおよび＜ファイル名、シリーズタイトル＞アイテムを格納する。また、格納部２３０は、ＥＰＧおよび抽出されたその他の情報を格納する。ここで、格納部２３０に複数のシリーズアイテムおよび＜ファイル名、シリーズタイトル＞アイテムが存在する場合、１つのリスト項目として管理する。
【００３７】
例えば、再生装置２００内にシリーズアイテムが５つ存在する場合、各々のシリーズアイテムは１つのシリーズリストとして管理される。すなわち、シリーズリストには、シリーズ１アイテム、シリーズ２アイテム、シリーズ３アイテム、シリーズ４アイテム、およびシリーズ５アイテムが含まれる。
【００３８】
モード設定部２４０は、再生装置２００において所定コンテンツを再生するモードを設定するものであり、ここで再生モードはシリーズ再生モードおよび一般再生モードに分けられている。
【００３９】
例えば、シリーズ再生モードである場合、ユーザが選択したファイル名に基づいてユーザが以前に視聴したコンテンツの視聴ポイントを検索して、ユーザが視聴を終了した部分から再生を行い、一般再生モードである場合、ユーザ選択したファイル名に対するコンテンツを初めから再生する。
【００４０】
検索部２５０は、ユーザのファイル名選択時に該当ファイル名に対応する再生ポイント情報を検索し、検索された再生ポイント情報から視聴ポイントをチェックして、ユーザによって選択されたファイル名にともなうコンテンツの再生位置値を抽出する。
【００４１】
例えば、検索部２５０は、ユーザが所定ファイル名を選択すれば、選択されたファイル名に対応するシリーズタイトルを検索する。次に、検索されたシリーズタイトルに対するシリーズアイテムを検索して、シリーズアイテム内に再生ポイント情報から視聴ポイント値を抽出する。
【００４２】
視聴ポイントチェック部２６０は、所定時間ごとにユーザが視聴しているコンテンツの視聴ポイントをチェックし、変更された視聴ポイント値をアップデートする。ここで、アップデートされた視聴ポイントは格納部２３０に格納される。
【００４３】
また、視聴ポイントチェック部２６０は、再生ポイント情報に含まれた総再生長さ（すなわち、時間）とチェックされた視聴ポイントを比較して、該当コンテンツの終了有無を判断して判断結果を制御部２８０に伝送する。ここで、視聴ポイント値と総再生長さとが同一である場合、該当コンテンツが終了したと判断する。
【００４４】
録画処理部２７０は、ユーザによって選択された所定コンテンツを録画するものであり、ここで録画処理部２７０は、該当コンテンツがシリーズで製作されたか否かにより録画設定を異なるように行った。
【００４５】
例えば、録画処理部２７０は録画を行おうとするコンテンツがシリーズで製作されたコンテンツである場合、該当コンテンツが初めて録画するシリーズであるかを判断し、判断の結果、初めて録画するシリーズのコンテンツである場合にコンテンツの再生ポイント情報を初期化して録画を行う。
【００４６】
また、判断の結果、初めて録画するシリーズのコンテンツでない場合には、格納部２３０に格納された＜プログラムタイトル、ファイル名＞アイテムと現在録画するコンテンツの＜プログラムタイトル、ファイル名＞アイテムの時間の順序を設定して録画を行う。ここで、＜プログラムタイトル、ファイル名＞アイテムの時間の順序は、プログラムタイトルに含まれた数字情報および所定コンテンツが録画される日を基に設定される。
【００４７】
例えば、プログラムタイトルがエピソード０１、エピソード０２、エピソード０３である場合、プログラムタイトルに含まれた数字情報（例えば、０１，０２，および０３）に基づいて時間の順序を定め、プログラムタイトルに所定の数字情報が含まれていない場合、該当コンテンツが録画される日（例えば、３月３日、３月１０日、および３月１７日）に基づいて時間の順序を定める。
【００４８】
制御部２８０は、情報抽出部２１０を介してシリーズタイトル情報およびプログラムタイトル情報が抽出されれば、前記情報が抽出されたコンテンツを格納するファイル名を生成する。ここで、ファイル名は再生装置２００で決定する規則により生成される。
【００４９】
また、制御部２８０は、シリーズで製作されたコンテンツの録画時に再生ポイント情報を初期化する。
【００５０】
例えば、初めて録画するシリーズである場合、シリーズアイテム内の再生ポイントに含まれたプログラムのリンクはアイテム生成部２２０を介して生成された＜プログラムタイトル、ファイル名＞アイテムに連結し、視聴ポイント値は「０」に設定して、総再生長さはＥＰＧから抽出した該当コンテンツの再生時間値に設定して初期化させる。
【００５１】
また、制御部２８０は、再生装置２００を構成する各機能性ブロック２１０〜２７０の動作を制御する。
【００５２】
図３は、本発明のまた他の実施形態に係わるシリーズコンテンツの視聴ポイントに基づいてコンテンツを再生させる装置で生成したアイテムの構造を示す図面である。
【００５３】
図３ａに示すように、アイテム生成部２２０は、情報抽出部２１０を介して抽出されたシリーズタイトル情報およびプログラムタイトル情報と、制御部２８０が生成したファイル名に基づいてシリーズアイテム３１０，３２０，３３０および＜ファイル名、シリーズタイトル＞アイテム３５０，３６０，３７０を生成する。ここで、複数のシリーズアイテム３１０，３２０，３３０はシリーズリスト１０に含まれて構成され、複数の＜ファイル名、シリーズタイトル＞アイテムは＜ファイル名、シリーズタイトル＞リスト２０に含まれて構成される。
【００５４】
シリーズアイテム３１０は、シリーズタイトル３１０ａ、再生ポイント３１０ｂ、およびプログラムリスト３１０ｃを含む。ここで、再生ポイント３１０ｂは図３ｂに示すようにプログラムリンク、視聴ポイント、および総再生長さなどの情報を含む。
【００５５】
また、プログラムリスト３１０ｃは、プログラムタイトル、およびファイル名などの情報を含むアイテム３１１を有する。
【００５６】
＜ファイル名、シリーズタイトル＞アイテム３５０は、ファイル名およびシリーズタイトルに対する情報を含む。
【００５７】
したがって、ユーザがファイル名を用いて所定コンテンツに対する再生を要請すれば、検索部２５０は＜ファイル名、シリーズタイトル＞アイテム３５０およびシリーズアイテム３１０，３２０，３３０を用いて選択されたコンテンツの視聴ポイントを検索し、検索された視聴ポイントに基づいてユーザが以前に視聴を終了した地点の次の部分からコンテンツを再生させる。
【００５８】
図４は、本発明のまた他の実施形態に係わるシリーズコンテンツの視聴ポイントに基づいてコンテンツを再生させる方法のうちのシリーズファイルの連続再生のためのアイテムを生成および初期化する過程を示すフローチャートである。
【００５９】
先ず、情報抽出部２１０は、ＥＰＧから所定コンテンツに対するシリーズタイトル、プログラムタイトルおよびその他の情報を抽出する（Ｓ４００）。ここで、その他の情報は、シリーズ製作の有無を示すシリーズ情報、該当コンテンツの総再生長さ情報などをいう。
【００６０】
次に、制御部２８０は、情報抽出部２１０を介して、シリーズタイトル、プログラムタイトル情報が抽出されれば、該当コンテンツを格納するファイル名を生成する（Ｓ４１０）。ここで、ファイル名は再生装置２００で決定する規則により決定される。
【００６１】
次に、制御部２８０は、該当コンテンツがシリーズで製作されたか否かを判断し（Ｓ４２０）、判断の結果、シリーズで製作されたコンテンツである場合、アイテム生成部２２０にシリーズおよび＜ファイル名、シリーズタイトル＞アイテムの生成を要請する。ここで、シリーズの有無はＥＰＧから抽出されたシリーズ情報を介して知ることが出来る。
【００６２】
ここで、アイテム生成部２２０は、抽出された情報に基づいてシリーズアイテムおよび＜ファイル名、シリーズタイトル＞アイテムを生成する（Ｓ４３０）。ここで、シリーズアイテムには＜プログラムタイトル、ファイル名＞アイテムが含まれている。
【００６３】
次に、制御部２８０は、録画するコンテンツが初めて録画されるシリーズのコンテンツであるかを判断する（Ｓ４４０）。ここで、初めて録画されるシリーズのコンテンツであるかを判断する方法は、検索部２５０を介して、録画しようとするコンテンツのシリーズタイトル情報に基づいて格納部２３０に格納されたシリーズアイテムを検索して知ることが出来る。
【００６４】
判断の結果、初めて録画されるシリーズのコンテンツの場合、制御部２８０は該当コンテンツの再生ポイント情報（３１０ｂ）を初期化する（Ｓ４５０）。
【００６５】
例えば、アイテム生成部２２０を介して生成されたシリーズアイテム３１０内の再生ポイント情報（３１０ｂ）に含まれたプログラムリンクを＜プログラムタイトル、ファイル名＞アイテムに連結し、視聴ポイント値は「０」に設定して、総再生長さはＥＰＧから抽出したコンテンツの総再生時間値に設定して初期化させる。
【００６６】
一方、判断の結果、初めて録画されるシリーズのコンテンツでない場合、該当コンテンツのシリーズタイトルに基づいて該当シリーズアイテム３１０を検索し、検索されたシリーズアイテム３１０のプログラムリスト（３１０ｃ）に該当コンテンツの＜プログラムタイトル、ファイル名＞アイテムを時間の順序に合うように連結する（Ｓ４６０）。
【００６７】
例えば、同一のシリーズタイトルですでに録画されたコンテンツが存在する場合、該当シリーズアイテムのプログラムリスト（３１０ｃ）に現在録画されたコンテンツの＜プログラムタイトル、ファイル名＞アイテムが一番最後の時間の順序に位置するように連結する。
【００６８】
一方、判断の結果、該当コンテンツがシリーズで製作されていない場合（Ｓ４２０）、録画処理部２７０は該当コンテンツに対する一般録画を実行する（Ｓ４７０）。
【００６９】
図５は、本発明のまた他の実施形態に係わるシリーズコンテンツの視聴ポイントに基づいてコンテンツを再生させる方法のうちのシリーズファイルの連続再生のための過程を示すフローチャートである。
【００７０】
先ず、ユーザが視聴を所望する所定ファイル名を選択すれば（Ｓ５００）、制御部２８０は現在再生装置２００の再生モードをチェックし、チェックの結果、現在の再生モードがシリーズ再生モードである場合（Ｓ５１０）、検索部２５０に再生ポイント情報の検索を要請する。
【００７１】
ここで、検索部２５０は、ユーザが選択したファイル名に対応するシリーズタイトルを検索する（Ｓ５２０）。ここで、シリーズタイトルは格納部２３０に格納された＜ファイルの名前、シリーズタイトル＞リストを介して検索することができる。
【００７２】
次に、検索されたシリーズタイトルに基づいて格納部２５０に格納されたシリーズリストで該当シリーズアイテムを検索し（Ｓ５３０）、検索されたシリーズアイテム内の再生ポイント情報からプログラムリンク情報および視聴ポイントを抽出する（Ｓ５４０）。
【００７３】
次に、抽出されたプログラムリンクおよび視聴ポイント情報に基づいて、現在再生しなければならないコンテンツファイルおよびコンテンツの再生位置値を抽出してユーザが以前に視聴を完了した部分から再生する（Ｓ５５０）。
【００７４】
一方、現在再生モードをチェックした結果、一般再生モードである場合（Ｓ５１０）、制御部２８０はユーザによって選択されたファイル名に対するコンテンツを初めから再生させる（Ｓ５６０）。
【００７５】
したがって、ユーザがシリーズ再生モードを選択した場合、以前に視聴したシリーズで製作されたコンテンツの視聴ポイントを検索して再生させることによって、ユーザが以前に視聴したコンテンツおよび該当コンテンツの再生位置を探すために探索過程を行わなくても早く所望するコンテンツおよび再生位置を探すことができる。
【００７６】
図６は、本発明のまた他の実施形態に係わるシリーズコンテンツの視聴ポイントに基づいてコンテンツを再生させる方法のうちの視聴ポイントチェックを行う過程を示すフローチャートである。
【００７７】
先ず、視聴ポイントチェック部２６０は、所定時間ごとにプログラムリンク情報および視聴ポイント情報をチェックする（Ｓ６００）。ここで、プログラムリンク情報および視聴ポイント情報をチェックする時間は、制御部２８０およびユーザによって任意に変更および設定される。
【００７８】
次に、視聴ポイントチェック部２６０は、チェックされた視聴ポイントと該当コンテンツの総再生長さ（すなわち、再生時間）を比較する。比較の結果、視聴ポイント値と総再生長さとが同一である場合（Ｓ６１０）、該当コンテンツの再生が完了したと判断して視聴ポイントを次のプログラムリンクに設定する（Ｓ６２０）。
【００７９】
例えば、「エピソード０１」の視聴ポイントと総再生長さが同一である場合、「エピソード０１」の再生が終了したと判断して視聴ポイントを「エピソード０２」の再生ポイントに設定する。ここで、再生ポイントのプログラムリンクはエピソード０２になり、視聴ポイントは０値になり、総再生長さはＥＰＧから抽出した該当コンテンツ（すなわち、エピソード０２）の再生時間値になる。
【００８０】
一方、視聴ポイントと総再生長さの比較の結果、その値が同一でない場合（Ｓ６１０）、視聴ポイントチェック部２６０はチェックされた視聴ポイント値を格納部２３０に伝送し、ここで再生しているコンテンツの視聴ポイントがアップデートされて格納される（Ｓ６３０）。
【００８１】
図７は、本発明のまた他の実施形態に係わるシリーズコンテンツの視聴ポイントに基づいてコンテンツを再生させる例を示す図面である。ここで、ユーザはシリーズで製作された「ロスト（すなわち、シリーズタイトル）」を以前に視聴を終了した部分から再び視聴しようすると仮定する。
【００８２】
図に示すように、ユーザがディスプレイ装置１００に録画された「ロスト」コンテンツのファイル名（例えば、エピソード０１ないしエピソード１０）が表示されれば、ユーザが所定ファイル名（例えば、エピソード３）を選択する。
【００８３】
ここで、検索部２５０は＜ファイル名、シリーズタイトル＞リスト２０でユーザが選択ファイル名と対応するシリーズタイトル（例えば、ロスト）を検索する。次に、検索されたシリーズタイトルに基づいてシリーズリスト１０で該当シリーズアイテムを検索する。
【００８４】
次に、検索されたシリーズアイテム内に再生ポイントにおいてプログラムリンクおよび視聴ポイントをチェックする。
【００８５】
チェックの結果、現在プログラムリンクは「エピソード０４」であり、視聴ポイントは３００Ｍであることを知ることが出来る。
【００８６】
ここで、制御部２８０はロストの「エピソード０４」のファイルの中の３００Ｍに該当する地点から再生するように制御する。
【００８７】
したがって、ユーザがシリーズで製作されたロストをどの部分まで視聴したかを記憶できなくても、表示されたファイル名のうちの任意のファイル名を選択すれば、以前に視聴を終了したコンテンツに対する視聴ポイント値を検索して、該当部分から再生することによって、ユーザがより便利にシリーズで製作されたコンテンツを視聴することができる。
【００８８】
以上、添付した図面を参照して本発明の実施形態を説明したが、本発明が属する技術分野で通常の知識を有する者であれば、本発明がその技術的思想や必須の特徴を変更せず、他の具体的な形態によって実施することができるということを理解できる。したがって、以上で記述した実施形態はすべての面で例示的なものであり、限定的なものではないことを理解しなければならない。
【図面の簡単な説明】
【００８９】
【図１】本発明の一実施形態に係わるシリーズコンテンツの視聴ポイントに基づいてコンテンツを再生させる装置を含むシステムを示す図である。
【図２】本発明の他の実施形態に係わるシリーズコンテンツの視聴ポイントに基づいてコンテンツを再生させる装置の内部ブロック図である。
【図３ａ】本発明のまた他の実施形態に係わるシリーズコンテンツの視聴ポイントに基づいてコンテンツを再生させる装置で生成したアイテムの構造を示す図である。
【図３ｂ】本発明のまた他の実施形態に係わるシリーズコンテンツの視聴ポイントに基づいてコンテンツを再生させる装置で生成したアイテムの構造を示す図である。
【図４】本発明のまた他の実施形態に係わるシリーズコンテンツの視聴ポイントに基づいてコンテンツを再生させる方法のうちのシリーズファイルの連続再生のためのアイテムを生成および初期化する過程を示すフローチャートである。
【図５】本発明のまた他の実施形態に係わるシリーズコンテンツの視聴ポイントに基づいてコンテンツを再生させる方法のうちのシリーズファイルの連続再生のための過程を示すフローチャートである。
【図６】本発明のまた他の実施形態に係わるシリーズコンテンツの視聴ポイントに基づいてコンテンツを再生させる方法のうちの視聴ポイントチェックを行う過程を示すフローチャートである。
【図７】本発明のまた他の実施形態に係わるシリーズコンテンツの視聴ポイントに基づいてコンテンツを再生させる例を示す図である。
【符号の説明】
【００９０】
２００      再生装置
２１０      情報抽出部
２２０      アイテム生成部
２３０      格納部
２４０      モード設定部
２５０      検索部
２６０      視聴ポイントチェック部
２７０      録画処理部
２８０      制御部
【図１】
0004690303.tif 000002
【図２】
0004690303.tif 000003
【図３ａ】
0004690303.tif 000004
【図３ｂ】
0004690303.tif 000005
【図４】
0004690303.tif 000006
【図５】
0004690303.tif 000007
【図６】
0004690303.tif 000008
【図７】
0004690303.tif 000009